(57)【特許請求の範囲】
【請求項１】
基地局（ｅＮＢ）が物理層シグナリングを送信する方法であって、
各ユーザのそれぞれに対して、１つのタイマーを設けて、各ユーザのタイマー周期をそれぞれ決定し、
各ユーザ自身のタイマー周期をそれぞれ各ユーザへ通知し、
ユーザスケジューリングを行った後、あるユーザがスケジューリングされた場合、スケジューリング結果と該ユーザに対して設けられたタイマーの計時結果とに基づいて、物理層シグナリングを該ユーザへ送信する必要があるかどうかを決定し、物理層シグナリングを該ユーザへ送信する必要があるとき、物理下り制御チャネル（ＰＤＣＣＨ）により、物理層シグナリングを該ユーザへ送信して、該ユーザのタイマーを起動または再起動する、
ことを含むことを特徴とする方法。
【請求項２】
前記各ユーザ自身のタイマー周期をそれぞれ各ユーザへ通知することは、
上位層シグナリングまたは物理層シグナリングによって、各ユーザ自身のタイマー周期をそれぞれ各ユーザへ通知する、
ことを含むことを特徴とする請求項１に記載の方法。
【請求項３】
前記スケジューリング結果と該ユーザに対して設けられたタイマーの計時結果とに基づいて、物理層シグナリングを該ユーザへ送信する必要があるかどうかを決定することは、
該ユーザのスケジューリングが初めてであるかどうかを判断し、
該ユーザのスケジューリングが初めてである場合、物理層シグナリングを該ユーザへ送信する必要があると決定し、
該ユーザのスケジューリングが初めてではない場合、該ユーザのタイマーが終了したかどうかを判断し、
該ユーザのタイマーが終了したとき、物理層シグナリングを該ユーザへ送信する必要があると決定し、
該ユーザのタイマーが終了していないとき、物理層シグナリングを該ユーザへ送信する必要がないと決定する、
ことを含むことを特徴とする請求項１に記載の方法。
【請求項４】
前記スケジューリング結果と該ユーザに対して設けられたタイマーの計時結果とに基づいて、物理層シグナリングを該ユーザへ送信する必要があるかどうかを決定することは、
該ユーザのスケジューリングが初めてであるかどうかを判断し、
該ユーザのスケジューリングが初めてである場合、物理層シグナリングを該ユーザへ送信する必要があると決定して、スケジューリング結果を記憶し、
該ユーザのスケジューリングが初めてではない場合、さらに、該ユーザのタイマーが終了したかどうかを判断し、
該ユーザのスケジューリングが初めてではない一方、該ユーザのタイマーが終了したとき、物理層シグナリングを該ユーザへ送信する必要があると決定して、スケジューリング結果を記憶し、
該ユーザのスケジューリングが初めてではなく、かつ、該ユーザのタイマーが終了していないとき、該ユーザの現在のスケジューリング結果と自局で記憶された該ユーザの以前のスケジューリング結果とを比較することで、物理層シグナリングを該ユーザへ送信する必要があるかどうかを決定する、
ことを含むことを特徴とする請求項１に記載の方法。
【請求項５】
前記該ユーザの現在のスケジューリング結果と自局で記憶された該ユーザの以前のスケジューリング結果とを比較することで、物理層シグナリングを該ユーザへ送信する必要があるかどうかを決定することは、
該ユーザの現在のスケジューリング結果と自局で記憶された該ユーザの以前のスケジューリング結果とにおける変調符号化方式（ＭＣＳ）、リソース割り当て結果、復調基準信号（ＤＭ−ＲＳ）ポート割り当て結果、およびデータストリームの数（Ｒａｎｋ）情報のうちの少なくとも１つを比較し、比較結果が同じである場合、物理層シグナリングを該ユーザへ送信する必要がないと決定し、比較結果が同じではない場合、物理層シグナリングを該ユーザへ送信する必要があると決定して、スケジューリング結果を記憶する、
ことを含むことを特徴とする請求項４に記載の方法。
【請求項６】
前記該ユーザの現在のスケジューリング結果と自局で記憶された該ユーザの以前のスケジューリング結果とを比較することで、物理層シグナリングを該ユーザへ送信する必要があるかどうかを決定することは、
該ユーザの現在のスケジューリング結果と自局で記憶された該ユーザの以前のスケジューリング結果とを比較して、該ユーザの現在のスケジューリング結果と自局で記憶された該ユーザの以前のスケジューリング結果とが近いかどうかを判断し、近い場合、物理層シグナリングを該ユーザへ送信する必要がないと決定し、近くない場合、物理層シグナリングを該ユーザへ送信する必要があると決定して、スケジューリング結果を記憶する、
ことを含むことを特徴とする請求項４に記載の方法。
【請求項７】
ＰＤＳＣＨにより、あるユーザへデータを送信した後、該ユーザからフィードバックされたＡＣＫまたはＮＡＣＫを検出し、該ユーザからフィードバックされたＡＣＫを受信した場合、該ユーザが既にデータを正確に受信したと決定し、ユーザからフィードバックされたＮＡＣＫを受信した場合、該ユーザがデータを正確に受信しなかったと決定し、ユーザからフィードバックされたＡＣＫも受信しなければ、ユーザからフィードバックされたＮＡＣＫも受信しなかった場合、ユーザがデータを正確に受信しなかったと決定する、
ことをさらに含むことを特徴とする請求項１に記載の方法。
【請求項８】
ユーザがデータを正確に受信しなかったと決定する場合、データの再送を行う、
ことをさらに含むことを特徴とする請求項７に記載の方法。
【請求項９】
ユーザ端末が物理層シグナリングを受信する方法であって、
１つのタイマーを設けて、基地局（ｅＮＢ）からの通知により、タイマー周期を決定し、
物理下り制御チャネル（ＰＤＣＣＨ）を検出して、検出されたＰＤＣＣＨで搭載された物理層シグナリングと自局のタイマーの計時結果とに基づいて、物理下り共有チャネル（ＰＤＳＣＨ）に対して受信検出を行う、
ことを含むことを特徴とする方法。
【請求項１０】
前記ｅＮＢからの通知により、タイマー周期を決定することは、
上位層シグナリングまたは物理層シグナリングにおけるｅＮＢの指示に従って、自局のタイマー周期を決定する、
ことを含むことを特徴とする請求項９に記載の方法。
【請求項１１】
前記検出されたＰＤＣＣＨで搭載された物理層シグナリングと自局のタイマーの計時結果とに基づいて、ＰＤＳＣＨに対して受信検出を行うことは、
自局のＰＤＣＣＨを検出し、
自局のＰＤＣＣＨが検出された場合、タイマーを起動または再起動し、自局のＰＤＣＣＨで搭載された物理層シグナリングを記憶して、自局のＰＤＣＣＨで搭載された物理層シグナリングの指示に従って、相応のＰＤＳＣＨに対して受信検出を行い、
自局のＰＤＣＣＨが検出されなかった場合、自局のタイマーを読み取って、タイマーが終了したかどうかを判断し、
タイマーが終了したとき、ＰＤＳＣＨに対して受信検出を行う必要がなく、
タイマーが終了していないとき、自局で記憶された物理層シグナリングの指示に従って、相応のＰＤＳＣＨに対して受信検出を行う、
ことを含むことを特徴とする請求項９に記載の方法。
【請求項１２】
前記自局のＰＤＣＣＨで搭載された物理層シグナリングの指示に従って、相応のＰＤＳＣＨに対して受信検出を行うことは、自局のＰＤＣＣＨで搭載された物理層シグナリングの指示に従って、相応のＰＤＳＣＨに対して、巡回冗長検査（ＣＲＣ）検出を行い、ＣＲＣ検出の結果が正しい場合、ＡＣＫをｅＮＢへフィードバックし、ＣＲＣ検出の結果が誤っている場合、ＮＡＣＫをｅＮＢへフィードバックする、ことを含み、
前記自局で記憶された物理層シグナリングの指示に従って、相応のＰＤＳＣＨに対して受信検出を行うことは、自局で記憶された物理層シグナリングの指示に従って、相応のＰＤＳＣＨに対して、ＣＲＣ検出を行い、ＣＲＣ検出の結果が正しい場合、ＡＣＫをｅＮＢへフィードバックする、ことを含む、
ことを特徴とする請求項１１に記載の方法。
【請求項１３】
基地局（ｅＮＢ）であって、
各タイマーがそれぞれ１つのユーザに対応する少なくとも１つのタイマーと、
ユーザスケジューリングを行うユーザスケジューリングモジュールと、
ユーザスケジューリングモジュールからのユーザスケジューリング結果を受信し、あるユーザがスケジューリングされた場合、スケジューリング結果と該ユーザに対して設けられたタイマーの計時結果とに基づいて、物理層シグナリングを該ユーザへ送信する必要があるかどうかを決定する制御モジュールと、
物理層シグナリングをあるユーザへ送信する必要がある場合、物理下り制御チャネル（ＰＤＣＣＨ）により、物理層シグナリングを該ユーザへ送信して、該ユーザの対応するタイマーを起動または再起動する物理層シグナリング伝送モジュールと、
を含むことを特徴とするｅＮＢ。
【請求項１４】
前記制御モジュールは、
ユーザスケジューリングモジュールからのユーザスケジューリング結果を受信するユーザスケジューリング結果受信サブモジュールと、
受信されたユーザスケジューリング結果に基づいて、ユーザのスケジューリングが初めてであるかどうかを判断し、ユーザのスケジューリングが初めてである場合、物理層シグナリングを該ユーザへ送信する必要があると決定する第１判断サブモジュールと、
ユーザのスケジューリングが初めてではない場合、該ユーザのタイマーの計時が終了したかどうかを判断し、該ユーザのタイマーの計時が終了したとき、物理層シグナリングを該ユーザへ送信する必要があると決定し、該ユーザのタイマーの計時が終了していないとき、物理層シグナリングを該ユーザへ送信する必要がないと決定する第２判断サブモジュールと、
を含むことを特徴とする請求項１３に記載のｅＮＢ。
【請求項１５】
前記制御モジュールは、
ユーザスケジューリングモジュールからのユーザスケジューリング結果を受信するユーザスケジューリング結果受信サブモジュールと、
受信されたユーザスケジューリング結果に基づいて、ユーザのスケジューリングが初めてであるかどうかを判断し、ユーザのスケジューリングが初めてである場合、物理層シグナリングを該ユーザへ送信する必要があると決定して、スケジューリング結果を記憶する第１判断サブモジュールと、
ユーザのスケジューリングが初めてではない場合、該ユーザのタイマーの計時が終了したかどうかを判断し、該ユーザのタイマーの計時が終了したとき、物理層シグナリングを該ユーザへ送信する必要があると決定して、スケジューリング結果を記憶する第２判断サブモジュールと、
ユーザのスケジューリングが初めてではなく、かつ、該ユーザのタイマーの計時が終了していないとき、該ユーザの現在のスケジューリング結果と自局で記憶された該ユーザの以前のスケジューリング結果とを比較することで、物理層シグナリングを該ユーザへ送信する必要があるかどうかを決定する第３判断サブモジュールと、
を含むことを特徴とする請求項１３に記載のｅＮＢ。
【請求項１６】
ユーザ端末であって、
基地局（ｅＮＢ）からタイマー周期が設定されるタイマー、物理下り制御チャネル（ＰＤＣＣＨ）復号化モジュールおよび物理下り共有チャネル（ＰＤＳＣＨ）復号化モジュールを含み、ここで、
ＰＤＣＣＨ復号化モジュールは、自局のＰＤＣＣＨを検出し、
ＰＤＳＣＨ復号化モジュールは、検出された自局のＰＤＣＣＨで搭載された物理層シグナリングと自局のタイマーの計時結果とに基づいて、ＰＤＳＣＨに対して受信検出を行う、
ことを特徴とするユーザ端末。
【請求項１７】
前記ＰＤＣＣＨ復号化モジュールは、
ＰＤＣＣＨに対してブライン復号化を行うことにより、自局のＰＤＣＣＨを検出するＰＤＣＣＨ復号化サブモジュールと、
ＰＤＣＣＨ復号化サブモジュールにより自局のＰＤＣＣＨが検出された後、タイマーを起動または再起動するタイマー制御サブモジュールと、
自局のＰＤＣＣＨで搭載された物理層シグナリングを記憶する物理層シグナリング記憶サブモジュールと、
ＰＤＣＣＨ復号化サブモジュールにより自局のＰＤＣＣＨが検出された場合、ＰＤＣＣＨ復号化サブモジュールにより検出された自局のＰＤＣＣＨで搭載された物理層シグナリングを、ＰＤＳＣＨ復号化モジュールに送信する一方、ＰＤＣＣＨ復号化サブモジュールにより自局のＰＤＣＣＨが検出されなかった場合、物理層シグナリング記憶サブモジュールで記憶された物理層シグナリングを、ＰＤＳＣＨ復号化モジュールに送信する物理層シグナリング出力サブモジュールと、
を含むことを特徴とする請求項１６に記載のユーザ端末。
【請求項１８】
前記ＰＤＳＣＨ復号化モジュールは、
タイマーの計時が終了していない場合、ＰＤＣＣＨ復号化モジュールから受信された物理層シグナリングの指示に従って、相応のＰＤＳＣＨに対して、巡回冗長検査（ＣＲＣ）検出を行うＰＤＳＣＨ復号化サブモジュールと、
ＣＲＣ検出の結果が正しい場合、ＡＣＫをｅＮＢへフィードバックし、ＰＤＳＣＨ復号化サブモジュールが、ＰＤＣＣＨ復号化サブモジュールにより検出された自局のＰＤＣＣＨで搭載された物理層シグナリングの指示に従って、相応のＰＤＳＣＨに対して、ＣＲＣ検出を行って、かつＣＲＣ検出の結果が誤っている場合、ＮＡＣＫをｅＮＢへフィードバックするＨＡＲＱフィードバックサブモジュールと、
を含むことを特徴とする請求項１６に記載のユーザ端末。
【発明の詳細な説明】
【技術分野】
【０００１】
本発明は、３Ｇ長期的進化（ＬＴＥ：Ｌｏｎｇ  Ｔｅｒｍ  Ｅｖｏｌｕｔｉｏｎ）技術に関し、特に、ＬＴＥシステムにおける物理層シグナリングの伝送方法およびその装置に関する。
【背景技術】
【０００２】
広帯域アクセス技術の挑戦に対処し、かつ、増加しつつある新たなサービスの需要を満たすために、第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、２００４年末から３Ｇ  ＬＴＥ技術の標準化作業を開始したことで、スペクトル効率をさらに向上させ、セル端ユーザの性能を改善し、システム遅延を低下させ、高速移動ユーザに更なる高速のアクセスサービスを提供することなどを図る。
【０００３】
ＬＴＥシステムにおいて、基地局ｅＮＢは、物理層シグナリングによって、リソース割り当て状況、変調符号化方式（ＭＣＳ）およびハイブリッド自動再送要求（ＨＡＲＱ）動作などの情報を、ユーザ端末へ示す。物理層シグナリングは、通常、物理下り制御チャネル（ＰＤＣＣＨ）で搭載される。
【発明の概要】
【発明が解決しようとする課題】
【０００４】
動的スケジューリング過程において、物理層シグナリングを適時にユーザ端末へ送信するために、ｅＮＢは、通常、各ユーザに対して１つのＰＤＣＣＨを割り当てる必要がある。ＬＴＥ標準の規定によると、ＬＴＥシステムにおいて、１つのサブフレーム（１ｍｓ）は、１４個の直交周波数分割多重接続（ＯＦＤＭ）シンボルで構成されるが、ＰＤＣＣＨとして用いられるのは、ただ先頭の１〜３個のシンボルであって、かつ、そのうちの一部のシンボルが基準信号に割り当てられる必要がある。従って、現在、ＬＴＥシステムにおいて、ＰＤＣＣＨが使用可能なリソースは、非常に限りがある。
【０００５】
また、現在、ＬＴＥシステムでは、マルチユーザマルチ入力マルチ出力（ＭＩＭＯ）技術が既に導入されている。それに、未来のＬＴＥシステムにおいて、アンテナの数がますます多くなる。この場合、マルチユーザＭＩＭＯ技術を採用した後、アンテナの数の増加につれて、システムで同時にサポートできるユーザがますます多くなる。これにより、マルチユーザゲインをより深く掘り出すことができるが、同時に、ＰＤＣＣＨによるより多いサポートが必要になる。一方、アンテナの数の増加につれて、より多いアンテナでは、より多い基準信号を使用することでチャネル測定を行う必要がある。これによって、ＰＤＣＣＨが使用可能なリソースは、さらに減少する。従って、マルチユーザＭＩＭＯ技術を採用した後、物理層シグナリングの伝送が、システムのスループット向上のボトルネックとなる。
【課題を解決するための手段】
【０００６】
上記の課題を解決するために、本発明は、物理層シグナリングの伝送方法およびその装置を提供することにより、物理層シグナリングの伝送に必要なリソースを有効に減少させ、ＬＴＥシステムのスループットを向上させることができる。
【０００７】
本発明の実施例で提供されたｅＮＢが物理層シグナリングを送信する方法は、各ユーザのそれぞれに対して、１つのタイマーを設けて、各ユーザのタイマー周期をそれぞれ決定し、各ユーザ自身のタイマー周期をそれぞれ各ユーザへ通知し、ユーザスケジューリングを行った後、あるユーザがスケジューリングされた場合、スケジューリング結果と該ユーザに対して設けられたタイマーの計時結果とに基づいて、物理層シグナリングを該ユーザへ送信する必要があるかどうかを決定し、物理層シグナリングを該ユーザへ送信する必要があるとき、物理下り制御チャネル（ＰＤＣＣＨ）により、物理層シグナリングを該ユーザへ送信して、該ユーザのタイマーを起動または再起動する、ことを含む。
【０００８】
ここで、各ユーザ自身のタイマー周期をそれぞれ各ユーザへ通知することは、上位層シグナリングまたは物理層シグナリングによって、各ユーザ自身のタイマー周期をそれぞれ各ユーザへ通知する、ことを含む。
【０００９】
スケジューリング結果と該ユーザに対して設けられたタイマーの計時結果とに基づいて、物理層シグナリングを該ユーザへ送信する必要があるかどうかを決定することは、該ユーザのスケジューリングが初めてであるかどうかを判断し、該ユーザのスケジューリングが初めてである場合、物理層シグナリングを該ユーザへ送信する必要があると決定し、該ユーザのスケジューリングが初めてではない場合、該ユーザのタイマーが終了したかどうかを判断し、該ユーザのタイマーが終了したとき、物理層シグナリングを該ユーザへ送信する必要があると決定し、該ユーザのタイマーが終了していないとき、物理層シグナリングを該ユーザへ送信する必要がないと決定する、ことを含む。
【００１０】
スケジューリング結果と該ユーザに対して設けられたタイマーの計時結果とに基づいて、物理層シグナリングを該ユーザへ送信する必要があるかどうかを決定することは、該ユーザのスケジューリングが初めてであるかどうかを判断し、該ユーザのスケジューリングが初めてである場合、物理層シグナリングを該ユーザへ送信する必要があると決定して、スケジューリング結果を記憶し、該ユーザのスケジューリングが初めてではない場合、さらに、該ユーザのタイマーが終了したかどうかを判断し、該ユーザのスケジューリングが初めてではない一方、該ユーザのタイマーが終了したとき、物理層シグナリングを該ユーザへ送信する必要があると決定して、スケジューリング結果を記憶し、該ユーザのスケジューリングが初めてではなく、かつ、該ユーザのタイマーが終了していないとき、該ユーザの現在のスケジューリング結果と自局で記憶された該ユーザの以前のスケジューリング結果とを比較することで、物理層シグナリングを該ユーザへ送信する必要があるかどうかを決定する、ことを含む。
【００１１】
具体的に、ｅＮＢは、該ユーザの現在のスケジューリング結果と自局で記憶された該ユーザの以前のスケジューリング結果における変調符号化方式（ＭＣＳ）、リソース割り当て結果、復調基準信号（ＤＭ−ＲＳ）ポート割り当て結果、およびデータストリームの数（Ｒａｎｋ）情報のうちの少なくとも１つを比較し、比較結果が同じである場合、物理層シグナリングを該ユーザへ送信する必要がないと決定し、比較結果が同じではない場合、物理層シグナリングを該ユーザへ送信する必要があると決定して、スケジューリング結果を記憶するようにしてもよい。または、ｅＮＢは、該ユーザの現在のスケジューリング結果と自局で記憶された該ユーザの以前のスケジューリング結果とを比較して、該ユーザの現在のスケジューリング結果と自局で記憶された該ユーザの以前のスケジューリング結果とが近いかどうかを判断し、近い場合、物理層シグナリングを該ユーザへ送信する必要がないと決定し、近くない場合、物理層シグナリングを該ユーザへ送信する必要があると決定して、スケジューリング結果を記憶するようにしてもよい。
【００１２】
上記の方法は、ＰＤＳＣＨにより、あるユーザへデータを送信した後、該ユーザからフィードバックされたＡＣＫまたはＮＡＣＫを検出し、該ユーザからフィードバックされたＡＣＫを受信した場合、該ユーザが既にデータを正確に受信したと決定し、ユーザからフィードバックされたＮＡＣＫを受信した場合、該ユーザがデータを正確に受信しなかったと決定し、ユーザからフィードバックされたＡＣＫも受信しなければ、ユーザからフィードバックされたＮＡＣＫも受信しなかった場合、ユーザがデータを正確に受信しなかったと決定する、ことをさらに含む。
【００１３】
上記の方法は、ユーザがデータを正確に受信しなかったと決定する場合、データの再送を行う、ことをさらに含んでもよい。
【００１４】
本発明の実施例で提供されたユーザ端末が物理層シグナリングを受信する方法は、１つのタイマーを設けて、基地局（ｅＮＢ）からの通知により、タイマー周期を決定し、物理下り制御チャネル（ＰＤＣＣＨ）を検出して、検出されたＰＤＣＣＨで搭載された物理層シグナリングと自局のタイマーの計時結果とに基づいて、物理下り共有チャネル（ＰＤＳＣＨ）に対して受信検出を行う、ことを含む。
【００１５】
ｅＮＢからの通知により、タイマー周期を決定することは、上位層シグナリングまたは物理層シグナリングにおけるｅＮＢの指示に従って、自局のタイマー周期を決定する、ことを含む。
【００１６】
検出されたＰＤＣＣＨで搭載された物理層シグナリングと自局のタイマーの計時結果とに基づいて、ＰＤＳＣＨに対して受信検出を行うことは、自局のＰＤＣＣＨを検出し、自局のＰＤＣＣＨが検出された場合、タイマーを起動または再起動し、自局のＰＤＣＣＨで搭載された物理層シグナリングを記憶して、自局のＰＤＣＣＨで搭載された物理層シグナリングの指示に従って、相応のＰＤＳＣＨに対して受信検出を行い、自局のＰＤＣＣＨが検出されなかった場合、自局のタイマーを読み取って、タイマーが終了したかどうかを判断し、タイマーが終了したとき、ＰＤＳＣＨに対して受信検出を行う必要がなく、タイマーが終了していないとき、自局で記憶された物理層シグナリングの指示に従って、相応のＰＤＳＣＨに対して受信検出を行う、ことを含む。
【００１７】
自局のＰＤＣＣＨで搭載された物理層シグナリングの指示に従って、相応のＰＤＳＣＨに対して受信検出を行うことは、自局のＰＤＣＣＨで搭載された物理層シグナリングの指示に従って、相応のＰＤＳＣＨに対して、巡回冗長検査（ＣＲＣ）検出を行い、ＣＲＣ検出の結果が正しい場合、ＡＣＫをｅＮＢへフィードバックし、ＣＲＣ検出の結果が誤っている場合、ＮＡＣＫをｅＮＢへフィードバックする、ことを含み、自局で記憶された物理層シグナリングの指示に従って、相応のＰＤＳＣＨに対して受信検出を行うことは、自局で記憶された物理層シグナリングの指示に従って、相応のＰＤＳＣＨに対して、ＣＲＣ検出を行い、ＣＲＣ検出の結果が正しい場合、ＡＣＫをｅＮＢへフィードバックする、ことを含む。
【００１８】
本発明の実施例で提供されたｅＮＢは、各タイマーがそれぞれ１つのユーザに対応する少なくとも１つのタイマーと、ユーザスケジューリングを行うユーザスケジューリングモジュールと、ユーザスケジューリングモジュールからのユーザスケジューリング結果を受信し、あるユーザがスケジューリングされた場合、スケジューリング結果と該ユーザに対して設けられたタイマーの計時結果とに基づいて、物理層シグナリングを該ユーザへ送信する必要があるかどうかを決定する制御モジュールと、物理層シグナリングをあるユーザへ送信する必要がある場合、物理下り制御チャネル（ＰＤＣＣＨ）により、物理層シグナリングを該ユーザへ送信して、該ユーザの対応するタイマーを起動または再起動する物理層シグナリング伝送モジュールと、を含む。
【００１９】
ここで、制御モジュールは、ユーザスケジューリングモジュールからのユーザスケジューリング結果を受信するユーザスケジューリング結果受信サブモジュールと、受信されたユーザスケジューリング結果に基づいて、ユーザのスケジューリングが初めてであるかどうかを判断し、ユーザのスケジューリングが初めてである場合、物理層シグナリングを該ユーザへ送信する必要があると決定する第１判断サブモジュールと、ユーザのスケジューリングが初めてではない場合、該ユーザのタイマーの計時が終了したかどうかを判断し、該ユーザのタイマーの計時が終了した場合、物理層シグナリングを該ユーザへ送信する必要があると決定し、該ユーザのタイマーの計時が終了していないとき、物理層シグナリングを該ユーザへ送信する必要がないと決定する第２判断サブモジュールと、を含む。
【００２０】
または、制御モジュールは、ユーザスケジューリングモジュールからのユーザスケジューリング結果を受信するユーザスケジューリング結果受信サブモジュールと、受信されたユーザスケジューリング結果に基づいて、ユーザのスケジューリングが初めてであるかどうかを判断し、ユーザのスケジューリングが初めてである場合、物理層シグナリングを該ユーザへ送信する必要があると決定して、スケジューリング結果を記憶する第１判断サブモジュールと、ユーザのスケジューリングが初めてではない場合、該ユーザのタイマーの計時が終了したかどうかを判断し、該ユーザのタイマーの計時が終了したとき、物理層シグナリングを該ユーザへ送信する必要があると決定して、スケジューリング結果を記憶する第２判断サブモジュールと、ユーザのスケジューリングが初めてではなく、かつ、該ユーザのタイマーの計時が終了していないとき、該ユーザの現在のスケジューリング結果と自局で記憶された該ユーザの以前のスケジューリング結果とを比較することで、物理層シグナリングを該ユーザへ送信する必要があるかどうかを決定する第３判断サブモジュールと、を含む。
【００２１】
本発明の実施例で提供されたユーザ端末は、基地局（ｅＮＢ）からタイマー周期が設定されるタイマー、物理下り制御チャネル（ＰＤＣＣＨ）復号化モジュールおよび物理下り共有チャネル（ＰＤＳＣＨ）復号化モジュールを含み、ここで、ＰＤＣＣＨ復号化モジュールは、自局のＰＤＣＣＨを検出し、ＰＤＳＣＨ復号化モジュールは、検出された自局のＰＤＣＣＨで搭載された物理層シグナリングと自局のタイマーの計時結果とに基づいて、ＰＤＳＣＨに対して受信検出を行う。
【００２２】
ここで、ＰＤＣＣＨ復号化モジュールは、ＰＤＣＣＨに対してブライン復号化を行うことにより、自局のＰＤＣＣＨを検出するＰＤＣＣＨ復号化サブモジュールと、ＰＤＣＣＨ復号化サブモジュールにより自局のＰＤＣＣＨが検出された後、タイマーを起動または再起動するタイマー制御サブモジュールと、自局のＰＤＣＣＨで搭載された物理層シグナリングを記憶する物理層シグナリング記憶サブモジュールと、ＰＤＣＣＨ復号化サブモジュールにより自局のＰＤＣＣＨが検出された場合、ＰＤＣＣＨ復号化サブモジュールにより検出された自局のＰＤＣＣＨで搭載された物理層シグナリングを、ＰＤＳＣＨ復号化モジュールに送信する一方、ＰＤＣＣＨ復号化サブモジュールにより自局のＰＤＣＣＨが検出されなかった場合、物理層シグナリング記憶サブモジュールで記憶された物理層シグナリングを、ＰＤＳＣＨ復号化モジュールに送信する物理層シグナリング出力サブモジュールと、を含む。
【００２３】
ＰＤＳＣＨ復号化モジュールは、タイマーの計時が終了していない場合、ＰＤＣＣＨ復号化モジュールから受信された物理層シグナリングの指示に従って、相応のＰＤＳＣＨに対して、巡回冗長検査（ＣＲＣ）検出を行うＰＤＳＣＨ復号化サブモジュールと、ＣＲＣ検出の結果が正しい場合、ＡＣＫをｅＮＢへフィードバックし、ＰＤＳＣＨ復号化サブモジュールが、ＰＤＣＣＨ復号化サブモジュールにより検出された自局のＰＤＣＣＨで搭載された物理層シグナリングの指示に従って、相応のＰＤＳＣＨに対して、ＣＲＣ検出を行って、かつＣＲＣ検出の結果が誤っている場合、ＮＡＣＫをｅＮＢへフィードバックするＨＡＲＱフィードバックサブモジュールと、を含む。
【発明の効果】
【００２４】
本発明に係る物理層シグナリングの伝送方法、並びに、ｅＮＢおよびユーザ端末の内部構成から分かるように、ｅＮＢで各ユーザ端末それぞれに対して１つのタイマーを設け、ユーザ端末で１つのタイマーを設けて、ｅＮＢで設けられたタイマーとユーザ端末で設けられたタイマーとの同期を保持することにより、ｅＮＢは、毎回ユーザスケジューリングが終了すると、物理層シグナリングをユーザへ伝送する必要がなくなる一方、ユーザ端末は、自局へ送信された物理層シグナリングが検出されず、かつ、自局のタイマーが終了していない場合、自局で記憶された物理層シグナリングの指示に従って、相応のＰＤＳＣＨに対して受信検出を行うことができる。従って、本発明で提供された方法および装置は、物理層シグナリングの伝送に必要なリソースを有効に減少させ、ＬＴＥシステムのスループットを向上させることができる。
【図面の簡単な説明】
【００２５】
【図１】本発明の実施例に係るｅＮＢが物理層シグナリングを送信する方法のフローチャートである。
【図２】ｅＮＢがスケジューリング結果とユーザに対して設けられたタイマーの計時結果とに基づいて、物理層シグナリングをユーザへ送信する必要があるかどうかを決定する方法のフローチャートである。
【図３】ｅＮＢがスケジューリング結果とユーザに対して設けられたタイマーの計時結果とに基づいて、物理層シグナリングをユーザへ送信する必要があるかどうかを決定する方法のフローチャートである。
【図４】本発明の実施例に係るユーザ端末が物理層シグナリングを受信する方法のフローチャートである。
【図５】検出されたＰＤＣＣＨで搭載された物理層シグナリングと自局のタイマーの計時結果とに基づいて、ＰＤＳＣＨに対して受信検出を行う方法のフローチャートである。
【図６】本発明の実施例に係るｅＮＢの内部構成を示す図である。
【図７】本発明の実施例に係るユーザ端末の内部構成を示す図である。
【図８】異なるユーザ数の場合、従来の物理層シグナリングの伝送方法および本発明に係る物理層シグナリングの伝送方法を採用するとき、各ＴＴＩでスケジューリングできるユーザの平均数を示すグラフである。
【図９】異なるユーザ移動速度の場合、従来の物理層シグナリングの伝送方法および本発明に係る物理層シグナリングの伝送方法を採用するときのセルのスループットを示すグラフである。
【発明を実施するための形態】
【００２６】
以下、本発明の実施例を参照して、本発明で提供されたＬＴＥシステムにおける物理層シグナリングの伝送方法およびその装置を詳しく説明する。本発明で提供されたＬＴＥシステムにおける物理層シグナリングの伝送方法およびその装置は、具体的に、ｅＮＢが物理層シグナリングを送信する方法およびｅＮＢ、並びに、ユーザ端末が物理層シグナリングを受信する方法およびユーザ端末を含む。
【００２７】
図１は、本発明の実施例に係るｅＮＢの物理層シグナリングの送信方法のフローチャートである。図１に示すように、本実施例において、ｅＮＢは、下記のような方法により、物理層シグナリングを各ユーザの対応するユーザ端末へ送信する。
【００２８】
ステップ１０１で、ｅＮＢは、各ユーザのそれぞれに対して、１つのタイマーを設けて、各ユーザのタイマー周期をそれぞれ決定する。
【００２９】
本ステップにおいて、ｅＮＢは、例えばユーザのサービス、車速、チャネル状況および復調基準信号（ＤＭ−ＲＳ）ポートなどの各ユーザの特性により、異なるユーザに対して、同じまたは異なるタイマー周期を設定することができ、例えば、全てのユーザに対して、同じタイマー周期を設定してもよく、移動速度が比較的速いユーザに対して、より短いタイマー周期を設定する一方、移動速度が比較的遅いユーザに対して、より長いタイマー周期を設定してもよい。
【００３０】
ステップ１０２で、ｅＮＢは、各ユーザ自身のタイマー周期をそれぞれ各ユーザへ通知する。
【００３１】
本ステップにおいて、ｅＮＢは、上位層シグナリング（ＲＲＣまたはＭＡＣ）または物理層シグナリングによって、各ユーザ自身のタイマー周期を各ユーザへ通知することができる。
【００３２】
ステップ１０３で、ｅＮＢがユーザスケジューリングを行った後、あるユーザがスケジューリングされた場合、ｅＮＢは、スケジューリング結果と該ユーザに対して設けられたタイマーの計時結果とに基づいて、リソースの割り当て状況、ＭＣＳおよびＨＡＲＱ動作などの情報を該ユーザへ示すように、物理層シグナリングを該ユーザへ送信する必要があるかどうかを決定し、物理層シグナリングを該ユーザへ送信する必要があるとき、ＰＤＣＣＨにより、物理層シグナリングを該ユーザへ送信して、該ユーザのタイマーを起動または再起動する。
【００３３】
具体的に、図２に示すように、上記のステップ１０３におけるｅＮＢがスケジューリング結果と該ユーザに対して設けられたタイマーの計時結果とに基づいて、物理層シグナリングを該ユーザへ送信する必要があるかどうかを決定する方法は、下記のステップを含む。
【００３４】
ステップ１０３１で、ｅＮＢは、該ユーザのスケジューリングが初めてであるかどうかを判断し、該ユーザのスケジューリングが初めてである場合、ステップ１０３２を実行し、該ユーザのスケジューリングが初めてではない場合、ステップ１０３３を実行する。
【００３５】
ステップ１０３２で、ｅＮＢは、物理層シグナリングを該ユーザへ送信する必要があると決定し、この場合、ｅＮＢは、ＰＤＣＣＨにより、物理層シグナリングを該ユーザへ送信して、該ユーザのタイマーを起動する。
【００３６】
ステップ１０３３で、ｅＮＢは、該ユーザのタイマーが終了したかどうかを判断し、該ユーザのタイマーが終了した場合、ステップ１０３４を実行し、該ユーザのタイマーが終了していない場合、ステップ１０３５を実行する。
【００３７】
ステップ１０３４で、ｅＮＢは、物理層シグナリングを該ユーザへ送信する必要があると決定し、この場合、ｅＮＢは、ＰＤＣＣＨにより、物理層シグナリングを該ユーザへ送信して、該ユーザのタイマーを再起動する。
【００３８】
ステップ１０３５で、ｅＮＢは、物理層シグナリングを該ユーザへ送信する必要がないと決定するが、この場合、ｅＮＢは、依然として該ユーザのタイマーを再起動する必要がある。
【００３９】
説明すべきものとして、該ユーザのスケジューリングが初めてではなく、かつ、該ユーザのタイマーが終了していない場合、ｅＮＢは、必要に応じて、物理層シグナリングを該ユーザへ送信して、タイマーを再起動することもできる。この場合、図３に示すように、本ステップにおけるｅＮＢがスケジューリング結果と該ユーザに対して設けられたタイマーの計時結果とに基づいて、物理層シグナリングを該ユーザへ送信する必要があるかどうかを決定する方法は、下記のステップを含む。
【００４０】
ステップ１０３１で、ｅＮＢは、該ユーザのスケジューリングが初めてであるかどうかを判断し、該ユーザのスケジューリングが初めてである場合、ステップ１０３２を実行し、該ユーザのスケジューリングが初めてではない場合、ステップ１０３３を実行する。
【００４１】
ステップ１０３２で、ｅＮＢは、物理層シグナリングを該ユーザへ送信する必要があると決定し、この場合、ｅＮＢは、ＰＤＣＣＨにより、物理層シグナリングを該ユーザへ送信し、該ユーザのタイマーを起動して、該ユーザのスケジューリング結果を記憶する。
【００４２】
ステップ１０３３で、ｅＮＢは、該ユーザのタイマーが終了したかどうかを判断し、該ユーザのタイマーが終了した場合、ステップ１０３４を実行し、該ユーザのタイマーが終了していない場合、ステップ１０３６を実行する。
【００４３】
ステップ１０３４で、ｅＮＢは、物理層シグナリングを該ユーザへ送信する必要があると決定し、この場合、ｅＮＢは、ＰＤＣＣＨにより、物理層シグナリングを該ユーザへ送信し、該ユーザのタイマーを再起動して、該ユーザのスケジューリング結果を記憶する。
【００４４】
ステップ１０３６で、ｅＮＢは、該ユーザの現在のスケジューリング結果と自局で記憶された該ユーザの以前のスケジューリング結果とを比較することで、物理層シグナリングを該ユーザへ送信する必要があるかどうかを決定し、物理層シグナリングを該ユーザへ送信する必要がある場合、ステップ１０３４を実行する。
【００４５】
通常、ユーザスケジューリングのスケジューリング結果は、変調符号化方式（ＭＣＳ）、リソース割り当て結果、ＤＭ−ＲＳポート割り当て結果およびデータストリームの数（Ｒａｎｋ）情報などを含む。従って、上記のステップ１０３６において、ｅＮＢは、該ユーザの現在のスケジューリング結果と自局で記憶された該ユーザの以前のスケジューリング結果とにおけるＭＣＳ、リソース割り当て結果、ＤＭ−ＲＳポート割り当て結果およびＲａｎｋ情報のうちの少なくとも１つ（１つまたは複数）を比較することで、物理層シグナリングを該ユーザへ送信する必要があるかどうかを決定することができる。例えば、該ユーザの現在のスケジューリング結果と自局で記憶された該ユーザの以前のスケジューリング結果とにおけるＭＣＳ、リソース割り当て結果、ＤＭ−ＲＳポート割り当て結果およびＲａｎｋ情報のうちの１つまたは複数の比較結果が同じである場合、物理層シグナリングを該ユーザへ送信する必要がないと決定する一方、比較結果が同じではない場合、物理層シグナリングを該ユーザへ送信する必要があると決定して、スケジューリング結果を記憶する。
【００４６】
上記の方法を除いて、ｅＮＢは、該ユーザの現在のスケジューリング結果と自局で記憶された該ユーザの以前のスケジューリング結果とが近いかどうかを比較することで、物理層シグナリングを該ユーザへ送信する必要があるかどうかを決定することもできる。即ち、前後二回のスケジューリング結果が近い場合、物理層シグナリングを該ユーザへ送信する必要がないと決定し、前後二回のスケジューリング結果が近くない場合、物理層シグナリングを該ユーザへ送信する必要があると決定して、スケジューリング結果を記憶する。具体的に、該ユーザの現在のスケジューリング結果と自局で記憶された該ユーザの以前のスケジューリング結果との対応するスループットまたは重み付けスループットを比較することで、前後二回のスケジューリング結果が近いかどうかを判断することができる。例えば、該ユーザの現在のスケジューリング結果と自局で記憶された該ユーザの以前のスケジューリング結果との対応するスループットの差または重み付けスループットの差が、予め設定された閾値（例えば０％〜１０％の間の数値など）内にある場合、該ユーザの現在のスケジューリング結果と自局で記憶された該ユーザの以前のスケジューリング結果とが近いと認められる。本実施例において、上記の重み付けスループットは、プロポーショナルフェアネス（ＰＦ）アルゴリズムにより算出できる。
【００４７】
また、ＬＴＥシステムでは、ＨＡＲＱフィードバックメカニズムが採用されているので、ｅＮＢは、ＰＤＳＣＨにより、あるユーザへデータを送信した後、さらに、該ユーザからフィードバックされたＡＣＫまたはＮＡＣＫを検出する必要もある。本実施例において、ｅＮＢが該ユーザからフィードバックされたＡＣＫを受信した場合、該ユーザが既にデータを正確に受信したと決定でき、ｅＮＢがユーザからフィードバックされたＮＡＣＫを受信した場合、該ユーザがデータを正確に受信しなかったと決定でき、ｅＮＢがユーザからフィードバックされたＡＣＫも受信しなければ、ユーザからフィードバックされたＮＡＣＫも受信しなかった場合にも、該ユーザがデータを正確に受信しなかったと決定できる。ｅＮＢは、ユーザがデータを正確に受信しなかったと決定した場合、データの再送を行う。説明すべきものとして、データの再送を行う過程にわたって、ｅＮＢは、再送する際のリソース割り当て情報、ＭＣＳおよびＨＡＲＱ動作などの情報を該ユーザへ示すように、ＰＤＣＣＨにより、物理層シグナリングを該ユーザへ送信する必要がある。
【００４８】
上記の方法から分かるように、ｅＮＢは、各ユーザのそれぞれに対して１つのタイマーを設けて、スケジューリング結果と該ユーザに対して設けられたタイマーの計時結果とに基づいて、物理層シグナリングを該ユーザへ送信する必要があるかどうかを決定することで、物理層シグナリングをユーザへ送信する必要がある場合にのみ、物理層シグナリングをユーザへ送信するが、毎回ユーザスケジューリングが終了すると、物理層シグナリングをユーザへ送信する必要がなくなる。従って、物理層シグナリングの伝送に必要なリソースを有効に減少させ、ＬＴＥシステムのスループットを向上させることができる。
【００４９】
相応に、本発明の実施例では、ユーザ端末がｅＮＢから送信された物理層シグナリングを受信する方法も提供されている。図４は、本発明の実施例に係るユーザ端末が物理層シグナリングを受信する方法のフローチャートを示す。図４に示すように、本実施例において、ユーザ端末は、下記のような方法により、ｅＮＢから送信された物理層シグナリングを受信する。
【００５０】
ステップ２０１で、ユーザ端末は、１つのタイマーを設けて、ｅＮＢからの通知により、タイマー周期を決定する。
【００５１】
上記のように、ｅＮＢは、上位層シグナリング（ＲＲＣまたはＭＡＣ）または物理層シグナリングによって、各ユーザ自身のタイマー周期を各ユーザへ通知することができる。従って、本ステップにおいて、ユーザ端末は、上位層シグナリングまたは物理層シグナリングにおけるｅＮＢの指示に従って、自局のタイマー周期を決定することができる。
【００５２】
ステップ２０２で、ユーザ端末は、ＰＤＣＣＨチャネルを検出して、検出されたＰＤＣＣＨで搭載された物理層シグナリングと自局のタイマーの計時結果とに基づいて、物理下り共有チャネル（ＰＤＳＣＨ）に対して受信検出を行う。
【００５３】
具体的に、図５に示すように、上記のステップ２０２における検出されたＰＤＣＣＨで搭載された物理層シグナリングと自局のタイマーの計時結果とに基づいて、ＰＤＳＣＨに対して受信検出を行う方法は、下記のステップを含む。
【００５４】
ステップ２０２１で、自局のＰＤＣＣＨを検出し、自局のＰＤＣＣＨが検出された場合、ステップ２０２２を実行し、自局のＰＤＣＣＨが検出されなかった場合、ステップ２０２３を実行する。
【００５５】
本ステップにおいて、ユーザ端末は、従来の方法に従って、ＰＤＣＣＨに対して、ブラインド復号化を行うことで、自局のＰＤＣＣＨが存在するかどうかを検出することができる。
【００５６】
ステップ２０２２で、タイマーを起動または再起動し、自局のＰＤＣＣＨで搭載された物理層シグナリングを記憶して、自局のＰＤＣＣＨで搭載された物理層シグナリングの指示に従って、相応のＰＤＳＣＨに対して受信検出を行う。
【００５７】
ステップ２０２２において、相応のＰＤＳＣＨに対して受信検出を行うことは、具体的に、自局のＰＤＣＣＨで搭載された物理層シグナリングの指示に従って、相応のＰＤＳＣＨに対して、巡回冗長検査（ＣＲＣ）検出を行い、ＣＲＣ検出の結果が正しい場合、ＡＣＫをｅＮＢへフィードバックし、ＣＲＣ検出の結果が誤っている場合、ＮＡＣＫをｅＮＢへフィードバックする、ことを含む。上記のステップによれば、ユーザ端末は、ＨＡＲＱのフィードバック動作を完成することができる。
【００５８】
ステップ２０２３で、自局のタイマーを読み取って、タイマーが終了したかどうかを判断し、タイマーが終了した場合、ＰＤＳＣＨに対して受信検出を行う必要がなく、タイマーが終了していない場合、ステップ２０２４を実行する。
【００５９】
説明すべきものとして、本ステップにおいて、タイマーが終了した場合、ユーザは、ＰＤＳＣＨに対して検出を行う必要がなく、ＡＣＫまたはＮＡＣＫをフィードバックする必要もない。
【００６０】
ステップ２０２４で、自局で記憶された物理層シグナリングの指示に従って、相応のＰＤＳＣＨに対して受信検出を行う。
【００６１】
ステップ２０２４において、相応のＰＤＳＣＨに対して受信検出を行うことは、具体的に、自局で記憶された物理層シグナリングの指示に従って、相応のＰＤＳＣＨに対して、ＣＲＣ検出を行い、ＣＲＣ検出の結果が正しい場合、ＡＣＫをｅＮＢへフィードバックする一方、このとき、ＣＲＣ検出の結果が誤っている場合、ＮＡＣＫをｅＮＢへフィードバックする必要がない、ことを含む。上記のステップによれば、ユーザ端末は、ＨＡＲＱのフィードバック動作を完成することができる。
【００６２】
上記の方法から分かるように、ユーザ端末は、１つのタイマーを設けて、ｅＮＢで設けられたタイマーとの同期を保持することにより、自局へ送信された物理層シグナリングが検出されず、かつ、自局のタイマーが終了していない場合、自局で記憶された物理層シグナリングの指示に従って、相応のＰＤＳＣＨに対して受信検出を行うことができる。従って、ｅＮＢは、毎回ユーザスケジューリングが終了すると、物理層シグナリングをユーザへ伝送する必要がなくなる。これにより、物理層シグナリングの伝送に必要なリソースを有効に減少させ、ＬＴＥシステムのスループットを向上させることができる。
【００６３】
また、本発明の実施例において、ｅＮＢとユーザとの間のＨＡＲＱプロセス識別子（ＩＤ）の同期を保証するために、ｅＮＢがＰＤＣＣＨにより、物理層シグナリングをユーザへ送信する必要がある場合、ｅＮＢは、ＰＤＣＣＨにより、ＨＡＲＱプロセスＩＤをユーザへ示し、ｅＮＢがＰＤＣＣＨにより、物理層シグナリングをユーザへ送信する必要がない場合、ｅＮＢおよびユーザは、それぞれＨＡＲＱプロセスＩＤの番号順に従って、ＨＡＲＱプロセスＩＤを割り当てる。
【００６４】
上記の物理層シグナリングの伝送方法に対応して、本発明の実施例では、上記方法を実現するｅＮＢおよびユーザ端末も提供されている。ここで、図６に示すように、ｅＮＢの内部構成は、主に、各タイマーがそれぞれ１つのユーザに対応する少なくとも１つのタイマーと、ユーザスケジューリングを行うユーザスケジューリングモジュールと、ユーザスケジューリングモジュールからのユーザスケジューリング結果を受信し、あるユーザがスケジューリングされた場合、スケジューリング結果と該ユーザに対して設けられたタイマーの計時結果とに基づいて、物理層シグナリングを該ユーザへ送信する必要があるかどうかを決定する制御モジュールと、物理層シグナリングをあるユーザへ送信する必要がある場合、ＰＤＣＣＨにより、物理層シグナリングを該ユーザへ送信して、該ユーザの対応するタイマーを起動または再起動する物理層シグナリング伝送モジュールと、を含む。
【００６５】
ここで、制御モジュールは、ユーザスケジューリングモジュールからのユーザスケジューリング結果を受信するユーザスケジューリング結果受信サブモジュールと、受信されたユーザスケジューリング結果に基づいて、ユーザのスケジューリングが初めてであるかどうかを判断し、ユーザのスケジューリングが初めてである場合、物理層シグナリングを該ユーザへ送信する必要があると決定する第１判断サブモジュールと、ユーザのスケジューリングが初めてではない場合、該ユーザのタイマーの計時が終了したかどうかを判断し、該ユーザのタイマーの計時が終了したとき、物理層シグナリングを該ユーザへ送信する必要があると決定し、該ユーザのタイマーの計時が終了していないとき、物理層シグナリングを該ユーザへ送信する必要がないと決定する第２判断サブモジュールと、を含む。
【００６６】
代替案として、制御モジュールは、ユーザスケジューリングモジュールからのユーザスケジューリング結果を受信するユーザスケジューリング結果受信サブモジュールと、受信されたユーザスケジューリング結果に基づいて、ユーザのスケジューリングが初めてであるかどうかを判断し、ユーザのスケジューリングが初めてである場合、物理層シグナリングを該ユーザへ送信する必要があると決定して、スケジューリング結果を記憶する第１判断サブモジュールと、ユーザのスケジューリングが初めてではない場合、該ユーザのタイマーの計時が終了したかどうかを判断し、該ユーザのタイマーの計時が終了したとき、物理層シグナリングを該ユーザへ送信する必要があると決定して、スケジューリング結果を記憶する第２判断サブモジュールと、ユーザのスケジューリングが初めてではなく、かつ、該ユーザのタイマーの計時が終了していないとき、該ユーザの現在のスケジューリング結果と自局で記憶された該ユーザの以前のスケジューリング結果とを比較することで、物理層シグナリングを該ユーザへ送信する必要があるかどうかを決定する第３判断サブモジュールと、を含んでもよい。
【００６７】
具体的に、該ユーザの現在のスケジューリング結果と自局で記憶された該ユーザの以前のスケジューリング結果とにおけるＭＣＳ、リソース割り当て結果、ＤＭ−ＲＳポート割り当て結果およびＲａｎｋ情報のうちの１つまたは複数の比較結果が同じである場合、物理層シグナリングを該ユーザへ送信する必要がないと決定する一方、比較結果が同じではない場合、物理層シグナリングを該ユーザへ送信する必要があると決定する。また、代替案として、該ユーザの現在のスケジューリング結果と自局で記憶された該ユーザの以前のスケジューリング結果とが近い（例えば、対応のスループットの差または重み付けスループットの差が０％〜５％内にある）場合、物理層シグナリングを該ユーザへ送信する必要がないと決定でき、該ユーザの現在のスケジューリング結果と自局で記憶された該ユーザの以前のスケジューリング結果とが近くない場合、物理層シグナリングを該ユーザへ送信する必要があると決定する。
【００６８】
図７に示すように、ユーザ端末の内部構成は、タイマー、ＰＤＣＣＨ復号化モジュールおよびＰＤＳＣＨ復号化モジュールを、主に含む。ここで、ＰＤＣＣＨ復号化モジュールは、自局のＰＤＣＣＨを検出し、ＰＤＳＣＨ復号化モジュールは、検出された自局のＰＤＣＣＨで搭載された物理層シグナリングと自局のタイマーの計時結果とに基づいて、ＰＤＳＣＨに対して受信検出を行う。
【００６９】
ＰＤＣＣＨ復号化モジュールは、具体的に、ＰＤＣＣＨに対してブライン復号化を行うことにより、自局のＰＤＣＣＨを検出するＰＤＣＣＨ復号化サブモジュールと、ＰＤＣＣＨ復号化サブモジュールにより自局のＰＤＣＣＨが検出された後、タイマーを起動または再起動するタイマー制御サブモジュールと、自局のＰＤＣＣＨで搭載された物理層シグナリングを記憶する物理層シグナリング記憶サブモジュールと、ＰＤＣＣＨ復号化サブモジュールにより自局のＰＤＣＣＨが検出された場合、ＰＤＣＣＨ復号化サブモジュールにより検出された自局のＰＤＣＣＨで搭載された物理層シグナリングを、ＰＤＳＣＨ復号化モジュールに送信する一方、ＰＤＣＣＨ復号化サブモジュールにより自局のＰＤＣＣＨが検出されなかった場合、物理層シグナリング記憶サブモジュールで記憶された物理層シグナリングを、ＰＤＳＣＨ復号化モジュールに送信する物理層シグナリング出力サブモジュールと、を含む。
【００７０】
ＰＤＳＣＨ復号化モジュールは、具体的に、タイマーの計時が終了していない場合、ＰＤＣＣＨ復号化モジュールから受信された物理層シグナリングの指示に従って、相応のＰＤＳＣＨに対して、ＣＲＣ検出を行うＰＤＳＣＨ復号化サブモジュールと、ＣＲＣ検出の結果が正しい場合、ＡＣＫをｅＮＢへフィードバックし、ＰＤＳＣＨ復号化サブモジュールが、ＰＤＣＣＨ復号化サブモジュールにより検出された自局のＰＤＣＣＨで搭載された物理層シグナリングの指示に従って、相応のＰＤＳＣＨに対して、ＣＲＣ検出を行って、かつＣＲＣ検出の結果が誤っている場合、ＮＡＣＫをｅＮＢへフィードバックするＨＡＲＱフィードバックサブモジュールと、を含む。
【００７１】
説明すべきものとして、ＰＤＳＣＨ復号化サブモジュールが、物理層シグナリング記憶サブモジュールで記憶された物理層シグナリングの指示に従って、相応のＰＤＳＣＨに対して、ＣＲＣ検出を行って、かつＣＲＣ検出の結果が誤っている場合、ＨＡＲＱフィードバックサブモジュールは、ＮＡＣＫをｅＮＢへフィードバックする必要がない。
【００７２】
上記のｅＮＢとユーザ端末との内部構成から分かるように、ｅＮＢで各ユーザ端末それぞれに対して１つのタイマーを設け、ユーザ端末で１つのタイマーを設けて、ｅＮＢで設けられたタイマーとユーザ端末で設けられたタイマーとの同期を保持することにより、ｅＮＢは、毎回ユーザスケジューリングが終了すると、物理層シグナリングをユーザへ伝送する必要がなくなる一方、ユーザ端末は、自局へ送信された物理層シグナリングが検出されず、かつ、自局のタイマーが終了していない場合、自局で記憶された物理層シグナリングの指示に従って、相応のＰＤＳＣＨに対して受信検出を行うことができる。従って、本発明の実施例で提供された方法および装置は、物理層シグナリングの伝送に必要なリソースを有効に減少させ、ＬＴＥシステムのスループットを向上させることができる。
【００７３】
本発明によりもたらされる技術的効果を詳しく説明するために、従来の物理層シグナリングの伝送方法および本発明に係る物理層シグナリングの伝送方法の性能のそれぞれに対して、シミュレーションを行った。図８は、異なるユーザ数の場合、従来の物理層シグナリングの伝送方法および本発明に係る物理層シグナリングの伝送方法を採用するとき、各ＴＴＩでスケジューリングできるユーザの平均数を示す。ここで、実線は、本発明に係る物理層シグナリングの伝送方法を採用するときの曲線を表し、点線は、従来の物理層シグナリングの伝送方法を採用するときの曲線を表す。また、四角印、三角印および丸印の曲線は、それぞれユーザ数が１０、２０および４０である場合、各ＴＴＩでスケジューリングできるユーザ数を表す。図８から分かるように、同じユーザ数の場合、従来の方法を採用するときと比べると、本発明に係る物理層シグナリングの伝送方法を採用するとき、各ＴＴＩ内で、より多いユーザをスケジューリングすることができる。図９は、異なるユーザ移動速度の場合、従来の物理層シグナリングの伝送方法および本発明に係る物理層シグナリングの伝送方法を採用するときのセルのスループットを示す。ここで、丸印の点線は、本発明に係る物理層シグナリングの伝送方法を採用するときの曲線を表し、四角印の実線は、従来の物理層シグナリングの伝送方法を採用するときの曲線を表す。図９から分かるように、同じユーザ移動速度の場合、従来の方法を採用するときと比べると、本発明に係る物理層シグナリングの伝送方法を採用するとき、より高いセルのスループットを得ることができ、そして、ユーザの移動速度が遅ければ遅いほど、本発明の実施例に係る方法により得られるスループットのゲインが大きくなる。
【００７４】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【００７５】
また、上記の実施形態に対する説明から、当業者は、ソフトウェアに、必要な汎用ハードウェアプラットフォームを加えるという方式の助けを借りて本発明が実現できることが、明確に分かることができる。勿論、ハードウェアにより実現することもできる。但し、前者は、より好ましい実施形態である場合が多い。このような理解に基づいて、本発明の解決手段の本質的部分、あるいは先行技術に対する貢献をもたらす部分は、ソフトウェア製品の形式で反映することができる。このコンピュータソフトウェア製品は、記憶媒体に記憶され、コンピュータ機器（パソコン、サーバまたはネットワーク機器などであってよい）に本発明の各実施例に係る方法を実行させるための若干の指令を含む。
【００７６】
当業者にとって理解できるものとして、実施例の装置におけるモジュールは、実施例の説明に従って、実施例の装置に配置してもよく、相応に変更して、本実施例と異なる１つまたは複数の装置に位置してもよい。上記の実施例のモジュールは、１つのモジュールとして結合してもよく、複数のサブモジュールにさらに分割してもよい。
【図１】
0005898913.tif 000002
【図２】
0005898913.tif 000003
【図３】
0005898913.tif 000004
【図４】
0005898913.tif 000005
【図５】
0005898913.tif 000006
【図６】
0005898913.tif 000007
【図７】
0005898913.tif 000008
【図８】
0005898913.tif 000009
【図９】
0005898913.tif 000010